(57)【要約】      （修正有）【課題】  本発明は，貝殻を焼成して作った粒状カルシウムから重金属を除去し、パワークリーンイオン水を製造する。【解決手段】酸性水溶液の中に１０００〜１２００℃で焼成した貝殻又は石灰岩から取出した炭酸カルシウムを加え、その水溶液に炭酸水素ナトリウムを加えて数時間静置後、上澄み液をろ過する。【選択図】なし【特許請求の範囲】
【請求項１】
容器に水を入れ，それに酸性溶液を加えて酸性水溶液を作り，その酸性水溶液の中に１０００℃〜１２００℃で焼成した貝殻叉は石灰岩から取り出した炭酸カルシウム等を加え，さらに，その水溶液中に炭酸水素ナトリウムを加えて反応させると炭酸ガスが発生し，その炭酸ガスによって酸性水溶液中の炭酸塩が分解され，２価のカルシウムイオンが溶込む。その酸性水溶液中に溶け出したカルシウムイオンは溶液中に含まれる重金属や不用物と分離して取り除くため、酸性水溶液を数時間放置しておくと，それらは沈澱して底に溜まる。その底に溜った沈澱層より上層の上澄み水溶液をとりだし，さらに，ろ過装置に通すと無色透明のパワークリーン・イオン水が得られる。すなわち，特許請求の範囲はパワークリーン・イオン水を製造するために必要な酸性水溶液とカルシウムを含む全ての貝殻や石灰岩等を用いた上述の製造方法である。
【請求項２】
上述のパワークリーンイオン水は酸性水溶液中に多量のカルシウムイオンを含むが，焼成した貝殻を酸性水溶液に溶かしただけでは重金属をとり除くことはできない。この水溶液を数時間静置して沈殿させると容器の底に重金属を含む不純物が沈み，底に沈澱した部分より上の，上澄み液を取り出して重金属とパワークリーン・イオン水を分離させる製造方法。
【請求項３】
取り出したパワークリーン・イオン水は多量のカルシウムイオンが溶込んでいるため，このパワークリーン・イオン水を金属鍋等に入れて熱を加えて乾燥させると純度１００％の真っ白な粉末のカルシウムイオンを作り出す製造方法。
【発明の詳細な説明】
【発明の詳細な説明】
【技術分野】
【０００１】  本発明は，酸性水溶液中に溶込んだ２価のカルシウムイオンを含むパワークリーン・イオン水と是を乾燥させると多量の粉末状のカルシウムイオンを取り出すことができる製造方法である。通常粉末状で使用されるカルシウムイオンは水に混ぜても，その溶込み量は非常に少ない。本発明は，重金属を取り除くだけでなく，これを酸性水溶液中に多量に溶込ます方法と逆に純度の高いカルシウムイオンを取り出す方法を可能にした製造技術である。
【貝殻汚染の現状と貝殻の有効利用】
【０００２】  この発明に至った背景は，現在，世界各地で取れる貝は非常に多種に渡るが，食用にされた後の貝殻の多くはほとんど廃棄物として海や河川に捨てられる場合が多く，海や河川のよごれや悪臭によって地域環境汚染の原因になっている。また，貝は海や河川の河口で多く取れるため海や河川に流出する産業廃棄物と共存している場合が多い。そのため，そこで取れる貝殻には重金属を含んでいる場合が多く，その影響によって貝殼が使用不可能な状態になり，その使用範囲は限定されたものになる。しかし、貝殻から重金属を除去することができれば，貝殼は多量のカルシウムを含んでいるため様々な方面で使用可能となり，また，無限の原料であるため用途は拡大する可能性がある。我々は貝殻を１０００℃〜１２００℃で焼成すると真っ白な粒状カルシウムが得られることを知っている。しかし，上述のように少量の重金属や不用物が混入しているため，それを分離し，カルシウムイオンのみを抽出することは離しく，解決しなければならない問題である。
【背景技術】
【０００３】  従来の貝殻からカルシウムイオンを取り出すのは，重金属等を含まない厳選した国からの物に限定され，また，その方法は焼成した後，風乾法によってカルシウムイオンを抽出するが価格も高くつく割には，抽出量は少ないのが問題である。それ以外の国の貝殻は殆どが少量の重金属を含むため，その使用に関しては非常に限定されたものとなり，殆どは鳥の餌か，使用されずに捨てられるかの運命にある。
従って，いままでは貝殻を水溶液に溶かしてカルシウムイオンを取り出す方法については手つかずの状態である。
【発明の基本理念】
【０００４】  ここでは酸性溶液に酢酸を用い，カルシウムの原料には貝殻を焼成して作った粒状カルシウムを用いた場合の例を示す。
まず容器に水を入れ，それに酸性溶液を加えて酸性水溶液を作り，その水溶液中に粒状カルシウムを入れ，さらに，炭酸水素ナトリウムを加えて反応させると炭酸ガスが発生し，その炭酸ガスによって酸性水溶液中の炭酸塩が分解され，２価のカルシウムイオンが水溶液中に溶込む。溶け出したカルシウムイオンは溶液中に含まれる重金属や不用物と分離して取り除く必要があるため、水溶液を数時間静置しておくと，それらは沈澱して底に溜まる。その底に溜った沈澱層から上層の上澄み水溶液を抽出し，その抽出した溶液を，さたに，ろ過装置に通すと無色透明のパワークリーンイオン水が得られる製造方法である。
このパワークリーンイオン水は，その濃度（弱酸性から中性までの範囲）によって水垢で汚れた墓石・車・浴室等のカビや頑固な汚れも（弱酸性水溶液）非常に綺麗に汚れを落し，さらに，仕上（中性水溶液）げる特徴を持っている。これはカルシウムイオンと弱酸の相乗効果によるものである。従来の汚れ落としと比べて，パワークリーン・イオン水は人体に無害であり，酸性水溶液の濃度によって使い分けると，何でもよく落ちる特徴がある。
【パワークリーン・イオン水の製造方法】
【０００５】  本発明の製造方法は，下記に示す酸性溶液について説明する。他の酸性溶液の場合も同様である。
（１）酸性溶液（酢酸）：１０００ｃｃ，水：１０００ｃｃ，粒状カルシウム：２００ｇ，炭酸水素ナトリウム：３０ｇ
（２）まず，水１０００ｃｃに酸性溶液（酢酸）１０００ｃｃを加えて，よく撹拌し酸性水溶液を作る。
（３）この酸性水溶液に粒状カルシウム２００ｇを加え，よく撹拌した後，炭酸水素ナトリウムを反応状態をみながら少しづつ加えていき，約５時間反応させる。
その結果，炭酸水素ナトリウムから出来た炭酸ガスの働きによって粒状カルシウムは酸性水溶液中で小さな泡を立てながら炭酸塩から分解され２価のカルシウムイオンとして水溶液中にどんどん溶込む。
（４）２価のカルシウムイオンを含んだ酸性水溶液は弱酸であるので，酢酸特有の臭いはあるが，それを取り除く必要があり，さらに炭酸水素ナトリウムを加えることにより，その水溶液は中性（ｐＨ：７）近くになり，さらに水で薄めて中性にさせる。
（５）中性になった水溶液中の不用物や重金属を沈澱させるため，数時間静置し，沈澱した不用物を取り除き，上澄み液をろ過装置に入れてろ過すると本発明の無色透明のパワークリーン・イオン水が得られる。
【分析結果と考察】
【０００６】  そのパワークリーン・イオン水の水溶液の分析結果を図１〜図９に示した。図１は，酸性水溶液の分析結果である。図２〜図６は，水と酸性水溶液の蛍光Ｘ線スペクトルの検た粉末カルシウムと粒状カルシウムを加えた場合のＰＨ変化とカルシウム溶込み量を表したものである。
【図面の簡単な説明】
【０００７】（１）図１からわかるようにパワークリーン・イオン水に溶込んでいるカルシウムイオンは他の元素と比較して非常に多いことがわかる。さらに，そのイオン水には重金属が含んでいないことがわかる。
（２）図２は水にカルシウムを溶かした場合の蛍光Ｘ線スペクトルの検量線であり，図３〜図６は酸性水溶液（酢酸，クエン酸，ギ酸，酒石酸）の蛍光Ｘ線スペクトルの検量線である。これによると水にカルシウムが溶ける場合は，１リットルの水にカルシウムが１６．９ｇである。
これに対して酸性水溶液の場合は酢酸が４４ｇ，ギ酸は２４ｇ，クエン酸は２１ｇ，酒石酸は２．９ｇであり，この酸性水溶液の中では酢酸が一番カルシウムを溶かす能力が強いことを示しており，パワークリーン・イオン水製造時の酸性溶液としては最適である。
（３）図７〜図９は酸性溶液濃度（酢酸、クエン酸、酒石酸）によるＰＨとカルシウムが混入した時のＰＨの変化を示したものと酸性溶液にカルシウムがどの程度溶込むかを表したものである。
それによると，酢酸水溶液はカルシウムイオンを含むとＰＨは他の酸性水溶液と比較しても６．５〜４．６となり弱酸性を示すことがわかる。溶込み量も酢酸濃度が濃くなると，急激に増加することもわかった。
以上の（１）（２）（３）から酸性水溶液に貝殼を焼成して作った粒状カルシウムをいれるとカルシウムイオンが溶け出してイオンとして存在することがわかる。その酸性水溶液の中でも特に，酢酸水溶液はカルシウムイオンを非常に多く溶込ます性質も持ち，さらに，酸性濃度も弱酸性から中性を示し，本発明のパワークリーン・イオン水製造には最適な溶液である。
【図１】
2007061805.tif 000002
【図２】
2007061805.tif 000003
【図３】
2007061805.tif 000004
【図４】
2007061805.tif 000005
【図５】
2007061805.tif 000006
【図６】
2007061805.tif 000007
【図７】
2007061805.tif 000008
【図８】
2007061805.tif 000009
【図９】
2007061805.tif 000010
【手続補正書】
【提出日】平成18年1月31日(2006.1.31)
【手続補正１】
【補正対象書類名】明細書
【補正対象項目名】０００７
【補正方法】変更
【補正の内容】
【０００７】
【図１】パワークリーン・イオン水中に含まれる元素とイオン濃度を表す図である。
【図２】水と粉末Ｃａの混合溶液による蛍光Ｘ線スペクトルの検量線を表す図である。
【図３】酢酸水溶液と粉末Ｃａの混合溶液による蛍光Ｘ線スペクトルの検量線を表す図である。
【図４】ギ酸水溶液と粉末Ｃａの混合溶液による蛍光Ｘ線スペクトルの検量線を表す図である。
【図５】クエン酸水溶液と粉末Ｃａの混合溶液による蛍光Ｘ線スペクトルの検量線の図
【図６】酒石酸水溶液と粉末Ｃａの混合溶液による蛍光Ｘ線スペクトルの検量線を表す図である。
【図７】酢酸水溶液濃度とＣａイオン溶込み時のＰＨ変化と酢酸水溶液濃度によるＣａイオン溶解量を表す図である。
【図８】クエン酸水溶液濃度とＣａイオン溶込み時のＰＨ変化とクエン酸水溶液濃度によるＣａイオン溶解量を表す図である。
【図９】酒石酸水溶液濃度とＣａイオン溶込み時のＰＨ変化と酒石酸水溶液濃度によるＣａイオン溶解量を表す図である。